(57)【要約】      （修正有）【課題】変化に富み幅広い音色を発することができる多奏水琴窟および蹲踞を提供する。【解決手段】水鉢１０２から給水される水を受ける海と、海と面一に設けられる吸込孔２０１ａ〜２０１ｃと、当該吸込孔２０１ａ〜２０１ｃに連結する瓶２０４と、を備えた水琴窟２０２ａ〜２０２ｃを複数備えた多奏水琴窟４００を構成した。吸込孔２０１ａ〜２０１ｃの高さは、水琴窟２０２ａ〜２０２ｃごとに異なっている。これにより、周波数の異なる複数の反響音を、同時に、あるいは、タイミングを異ならせて断続的に発生させることができ、和音や分散和音など、変化に富み幅広い音色を発することができる。【選択図】図４
0003219266.tif 000002
【実用新案登録請求の範囲】
【請求項１】
給水源から給水される水を受ける海と、
前記海と面一に設けられる吸込孔と、当該吸込孔に連結する瓶と、を備えた複数の水琴窟と、
を備えたことを特徴とする多奏水琴窟。
【請求項２】
前記吸込孔は、前記水琴窟ごとに高さが異なることを特徴とする請求項１に記載の多奏水琴窟。
【請求項３】
複数の前記水琴窟は、各前記水琴窟が備える前記吸込孔が、単一の前記給水源の周囲に位置するように配置されていることを特徴とする請求項１または２に記載の多奏水琴窟。
【請求項４】
前記海の表面に、前記給水源の周囲を囲むように設けられた溝を備えたことを特徴とする請求項３に記載の多奏水琴窟。
【請求項５】
前記溝は、複数設けられ、少なくとも一部が前記吸込孔または当該吸込孔の近傍を経由するように設けられていることを特徴とする請求項４に記載の多奏水琴窟。
【請求項６】
請求項１〜５のいずれか一つに記載の多奏水琴窟と、
前記多奏水琴窟が備える海に設置され、上方に向けて開口し当該海に給水する水を保持する凹部を備えた給水源と、
を備え、
前記給水源は、前記凹部に対する給水設備からの給水を、当該凹部が保持する水中に直接給水する水中給水により受け付けることを特徴とする蹲踞。
【請求項７】
前記給水源より鉛直方向における下側に配置され、多角形状をなし、水平方向と平行に配置される設置面を備えた水受部を備えたことを特徴とする請求項６に記載の蹲踞。
【考案の詳細な説明】
【技術分野】
【０００１】
この考案は、日本庭園などにおける装飾に用いられる水琴窟および蹲踞に関する。
【背景技術】
【０００２】
水琴窟は、地中に形成された空洞内への水滴の落下音を、空洞内において反響させることによって生じる音色を楽しむために用いられ、日本庭園などに設置される装飾の一つとして知られている。このような水琴窟に関し、従来、たとえば、壷状の水琴窟本体内の下部に貯留する水の水位を調整する水位調整シリンダを設け、この水位調整シリンダによって水の水位を調整して、水滴の落下距離を変えることによって、簡単な構成で多様な音色を容易に発生できるようにした技術があった（たとえば、下記特許文献１を参照）。
【先行技術文献】
【特許文献】
【０００３】
【特許文献１】実用新案登録第３１２２９８５号公報
【考案の概要】
【考案が解決しようとする課題】
【０００４】
しかしながら、上述した特許文献１の技術を含む従来の技術は、同時に聴くことができる音色が一様であるため、興趣を添える面から改善の余地があった。
【０００５】
この考案は、上述した従来技術による問題点を解消するため、変化に富み幅広い音色を発することができる多奏水琴窟を提供することを目的とする。
【０００６】
また、この考案は、上述した従来技術による問題点を解消するため、空間に興趣を添えることができる蹲踞を提供することを目的とする。
【課題を解決するための手段】
【０００７】
上述した課題を解決し、目的を達成するため、この考案にかかる多奏水琴窟は、給水源から給水される水を受ける海と、前記海と面一に設けられる吸込孔と、当該吸込孔に連結する瓶と、を備えた複数の水琴窟と、を備えたことを特徴とする。
【０００８】
また、この考案にかかる多奏水琴窟は、上記の考案において、前記吸込孔が、前記水琴窟ごとに高さが異なることを特徴とする。
【０００９】
また、この考案にかかる多奏水琴窟は、上記の考案において、複数の前記水琴窟が、各前記水琴窟が備える前記吸込孔が、単一の前記給水源の周囲に位置するように配置されていることを特徴とする。
【００１０】
また、この考案にかかる多奏水琴窟は、上記の考案において、前記海の表面に、前記給水源の周囲を囲むように設けられた溝を備えたことを特徴とする。
【００１１】
また、この考案にかかる多奏水琴窟は、上記の考案において、前記溝が、複数設けられ、少なくとも一部が前記吸込孔または当該吸込孔の近傍を経由するように設けられていることを特徴とする。
【００１２】
また、この考案にかかる蹲踞は、上記のいずれか一つに記載の多奏水琴窟と、前記多奏水琴窟が備える海に設置され、上方に向けて開口し当該海に給水する水を保持する凹部を備えた給水源と、を備え、前記給水源が、前記凹部に対する給水設備からの給水を、当該凹部が保持する水中に直接給水する水中給水により受け付けることを特徴とする。
【００１３】
また、この考案にかかる蹲踞は、上記の考案において、前記給水源より鉛直方向における下側に配置され、多角形状をなし、水平方向と平行に配置される設置面を備えた水受部を備えたことを特徴とする。
【考案の効果】
【００１４】
この考案にかかる多奏水琴窟によれば、変化に富み幅広い音色を発することができるという効果を奏する。これにより、聴く者を効果的にリラックスさせ、深い癒しを与えることができるという効果を奏する。
【００１５】
また、この考案にかかる蹲踞によれば、上記の多奏水琴窟への給水にかかる水音を抑え、多奏水琴窟が奏でる音色を効果的に聴かせることができ、空間に興趣を添えることができるという効果を奏する。
【図面の簡単な説明】
【００１６】
【図１】蹲踞の外観を示す説明図である。
【図２Ａ】図１におけるＡ矢視図（その１）である。
【図２Ｂ】図１におけるＡ矢視図（その２）である。
【図３】この考案にかかる実施の形態の多奏水琴窟を構成する水琴窟の内部構造を示す説明図である。
【図４】この考案にかかる実施の形態の多奏水琴窟の構造を概略的に示す説明図（その１）である。
【図５】この考案にかかる実施の形態の多奏水琴窟の構造を概略的に示す説明図（その２）である。
【考案を実施するための形態】
【００１７】
以下に添付図面を参照して、この考案にかかる多奏水琴窟および蹲踞の好適な実施の形態を詳細に説明する。
【００１８】
（蹲踞の外観）
まず、この考案にかかる実施の形態の多奏水琴窟を備えた蹲踞の外観について説明する。図１は、蹲踞の外観を示す説明図である。図２Ａおよび図２Ｂは、図１におけるＡ矢視図（蹲踞を真上から見た図）である。
【００１９】
図１、図２Ａおよび図２Ｂに示すように、蹲踞１００は、水鉢１０２と、水鉢１０２の周囲に配置される役石１０３（前石１０３ａ、湯桶石１０３ｂ、手燭石１０３ｃなど）と、を備えている。役石１０３は、いずれも、水鉢１０２の高さ位置よりも低い位置に設けられている。
【００２０】
水鉢１０２は、給水設備（図４を参照）などから給水される水を溜める凹部１０２ａを備えている。水鉢１０２は、たとえば、五輪塔の共形の水輪部分を利用した湧玉型（鉄鉢型）の水鉢１０２を用いることができる。凹部１０２ａに給水された水は、凹部１０２ａから溢れ出て、水鉢１０２の壁面を伝って海１０４に落下する。この実施の形態においては、水鉢１０２によって、この考案にかかる給水源を実現することができる。
【００２１】
湧玉型の水鉢１０２を用いることにより、水鉢１０２の外形を、球面に近い曲面とすることができる。これにより、凹部１０２ａから溢れ出る水の量や、水鉢１０２に吹き付ける風の向きや強さなどによって、水鉢１０２の外表面を伝う水の経路を変化させることができる。
【００２２】
水鉢１０２は、五輪塔における水輪を利用した見立物の湧玉型に限るものではなく、たとえば、水輪を模刻して湧玉型に創作した水鉢１０２であってもよい。創作当初から手水鉢として創作した湧玉型の水鉢１０２を用いることにより、水鉢１０２の外表面を伝う水の経路を、水鉢１０２の設計者や創作者が任意に調整することができる。
【００２３】
水鉢１０２の外表面は、図示するように滑らかな曲面であってもよく、あるいは、凸凹が設けられていてもよい。水鉢１０２の外表面の形状や大きさによっても、水の流れを微妙に変化させることができ、これによって多奏水琴窟が奏でる音色の違いを演出することができる。
【００２４】
水鉢１０２は、湧玉型など人工的に加工された形状であってもよく、庭園における周囲の景観などにあわせて自然の石や岩をそのまま用いてもよい。また、水鉢１０２は、天然の石材を用いて形成されるものに限らず、人工石などの加工材料を用いて形成されたものであってもよい。
【００２５】
海１０４は、水鉢１０２から流れ出た水が落下する場所であって、水鉢１０２と役石１０３との間において、水鉢１０２の周囲を囲むようにして設けられている。海１０４は、役石１０３の高さ位置よりも、低い位置に設けられている。海１０４は、たとえば、セメントおよび砂を水で練り混ぜて硬化させたモルタルや、セメントと砂と砂利とを水で混ぜて硬化させたコンクリートなどによって形成することができる。海１０４の表面（上面）には、装飾するためや、海１０４に落下した水の流れを導くために、玉砂利（図示を省略する）などが埋め込まれていてもよい。
【００２６】
水鉢１０２は、海１０４のほぼ中央に配置された水受部１０５の上に設置されている。水受部１０５は、多角形の略平板形状をなし、上端面が水平になるように配置されている。この実施の形態においては、水受部１０５の上端面によって、この考案にかかる設置面を実現することができる。具体的に、水受部１０５の上端面（設置面）は、たとえば、正六角形などの正多角形であることが好ましい。正多角形のすべての頂点は、同一の円周上に存在する。
【００２７】
正多角形の略平板形状をなす水受部１０５を用いる場合、鉛直方向において、水鉢１０２の中心と、水受部１０５がなす正多角形の中心と、が重なるように設置することが好ましい。これにより、水鉢１０２から流れ出た水は、水受部１０５の中心から水受部１０５の端部に向かって、放射状に、偏りなく広がる。
【００２８】
水受部１０５は、鉛直方向において、上端面が海１０４よりも若干高い位置に位置するように配置されている。これにより、水鉢１０２から流れ出て、水受部１０５の端部に到達した水は、水受部１０５の端部から海１０４に流れ込む。水鉢１０２から流れ出た水は、水受部１０５の中心から放射状に偏りなく広がって海１０４に落下する。これにより、水受部１０５の周囲全体にわたって、海１０４に落下する水の量をほぼ均等にすることができる。
【００２９】
海１０４には、吸込孔２０１が設けられている。吸込孔２０１は、海と面一に設けられている。吸込孔２０１は、図２に示すように蹲踞１００を平面視した状態において、水鉢１０２の周囲を囲むようにして複数配置されている。この実施の形態においては、水鉢１０２の周囲に３つの吸込孔２０１ａ〜２０１ｃが配置されている。
【００３０】
各吸込孔２０１ａ〜２０１ｃは、この考案にかかる多奏水琴窟（図３を参照）を構成する水琴窟２０２が備える瓶２０４に連結されている。瓶２０４は、吸込孔２０１ａ〜２０１ｃごとに設けられている。各瓶２０４は、それぞれ、枠箱２０３の内側に収容された状態で、海１０４の下の地中に埋設されている。この実施の形態における多奏水琴窟は、３つの水琴窟２０２ａ〜２０２ｃによって構成されている。水琴窟２０２ａ〜２０２ｃの構成については説明を後述する。
【００３１】
各吸込孔２０１ａ〜２０１ｃは、それぞれ、図示を省略する網状のストレーナによって覆われていてもよい。これにより、落ち葉や落ちた木の枝などが吸込孔２０１ａ〜２０１ｃに入り込むことを防止できる。あるいは、ストレーナに代えて、吸込孔２０１ａ〜２０１ｃの上に、海１０４に埋め込む玉砂利とは別の玉砂利や砕石あるいはゴロ太石など（いずれも図示を省略する）を数個重ねて置くことによって、落ち葉や落ちた木の枝などが吸込孔２０１ａ〜２０１ｃから瓶２０４内に入り込むことを防止してもよい。
【００３２】
また、海１０４には、複数の溝２０５が設けられている。複数の溝２０５は、少なくとも一部が、吸込孔２０１ａ〜２０１ｃまたはその近傍を経由するように設けられている。具体的に、複数の溝２０５は、それぞれ、水鉢１０２を中心とする円周方向において隣り合う一対の吸込孔（たとえば、吸込孔２０１ａと吸込孔２０１ｂ）どうしのうち、一方の吸込孔（たとえば、吸込孔２０１ａ）およびその周囲から、他方の吸込孔（たとえば、吸込孔２０１ｂ）およびその周囲にわたるように、溝２０５どうしが略平行に延びるように設けられている。溝２０５は、海１０４を一見しただけでは容易に目視できない程度に浅く設けられていることが好ましい。
【００３３】
複数の溝２０５は、たとえば、図２Ｂに示すように、水鉢１０２側が凹み、水鉢１０２とは反対側に膨らむように湾曲した形状をなすように設けることができる。あるいは、複数の溝２０５は、たとえば、隣り合う一対の吸込孔（たとえば、吸込孔２０１ａと吸込孔２０１ｂ、吸込孔２０１ｂと吸込孔２０１ｃ、吸込孔２０１ａと吸込孔２０１ｃなど）どうしの対向方向に略平行になるように、すなわち、隣り合う一対の吸込孔２０１間を最短で結ぶ直線的な形状をなすように設けてもよい。あるいは、複数の溝２０５は、たとえば、海１０４のデザインの一環として、紆余曲折していてもよい。
【００３４】
海１０４に玉砂利などが埋め込まれている場合、溝２０５は、玉砂利の間を縫うようにして、モルタルやコンクリート部分に形成する。これにより、海１０４に埋め込まれた玉砂利、および、溝２０５によって、海１０４に落下した水の流れを吸込孔２０１ａ〜２０１ｃに導くことができる。
【００３５】
溝２０５は、たとえば、海１０４にモルタルやコンクリートを流した後であって、当該モルタルやコンクリートが完全に硬化する前に、爪付きレーキなどの先端が尖った硬い部材により水鉢１０２の周囲を掻くことによって形成することができる。モルタルやコンクリート部分に埋め込まれた玉砂利は、金属によって形成される爪付きレーキの先端よりも硬いため、モルタルやコンクリートが完全に硬化する前に爪付きレーキで掻くことによって、玉砂利の間に容易に溝２０５を形成することができる。あるいは、溝２０５は、完全に硬化する前のモルタルやコンクリートを、埋め込まれた玉砂利を避けるようにして掻くことによって形成してもよい。
【００３６】
海１０４に流れ落ちた水の流れは、溝２０５の形状、溝２０５の本数、溝２０５どうしの間隔などをどのように設けるかによっても制御することができる。これにより、瓶２０４に水滴が落ちるタイミングを異ならせることができるため、多重に奏でる音の変化の幅を広げることができる。
【００３７】
（水琴窟の内部構造）
つぎに、この考案にかかる実施の形態の多奏水琴窟を構成する水琴窟の内部構造について説明する。図３は、この考案にかかる実施の形態の多奏水琴窟を構成する水琴窟の内部構造を示す説明図である。図３においては、多奏水琴窟を構成する３つの水琴窟２０２のうちの１つを鉛直方向に沿って切断した断面を示している。
【００３８】
図３において、瓶２０４を収容する枠箱２０３は、天面、底面、正面、背面および両側面の６面によって囲まれた方体形状をなす。枠箱２０３は、具体的には、たとえば、コンクリート製の蓋付きの溜桝などによって実現することができる。瓶２０４は、枠箱２０３内の空間に位置づけられている。瓶２０４をコンクリート製の枠箱２０３内に収容することにより、地中の水分などによって枠箱２０３や瓶２０４が腐食することを防止して、半永久的な長期にわたって瓶２０４の周囲に空間３０１を形成することができる。
【００３９】
瓶２０４は、底部３０２と、底部３０２に対向する開口部３０３とを備えており、底部３０２と開口部３０３との間の胴部３０４が外方に膨らんだ壺形状をなす。瓶２０４は、たとえば、陶土を成形して焼成した陶器や、石粉を成形して焼成した磁器などによって実現することができる。瓶２０４は、開口部３０３を鉛直方向における下側に向け、伏せた状態で枠箱２０３内に設置されている。
【００４０】
開口部３０３は、平板状部材３０５によって塞がれている。平板状部材３０５は、防水性を備えており、平板状部材３０５と開口部３０３の周縁とは、モルタルやシーリング材などによって密閉されている。これにより、伏せた状態で設置される瓶２０４内に水を溜めることができる。平板状部材３０５は、具体的には、たとえば、コンクリート製の平板などによって実現することができる。
【００４１】
平板状部材３０５には、平板状部材３０５を板厚方向に貫通する貫通孔３０５ａが設けられている。貫通孔３０５ａには、排水パイプ３０６が連結されている。平板状部材３０５と排水パイプ３０６との境界部分は、モルタルやシーリング材などによって密閉されている。
【００４２】
排水パイプ３０６の一端は、瓶２０４内において、底部３０２に向けて突出するように入り込んだ状態で設けられている。瓶２０４内における水面の高さは、瓶２０４内における排水パイプ３０６の一端の位置、すなわち、瓶２０４内における排水パイプ３０６の一端と底部３０２との間隔の大小によって決定される。
【００４３】
排水パイプ３０６は、瓶２０４との連結位置から、鉛直方向における瓶２０４の下側に延び、枠箱２０３の底面から枠箱２０３の外部に引き出されている。排水パイプ３０６は、枠箱２０３の外部において枠箱２０３の底面に沿って水平方向に引き回され、底面を回避した位置において鉛直方向上側に向けて引き回されている。
【００４４】
排水パイプ３０６は、さらに、鉛直方向上側に向けて引き回された先で、一旦、水平方向に引き回され、そのさらに先が上方に延びるように敷設されている。排水パイプ３０６は、具体的には、たとえば、塩化ビニル製のパイプを、適宜、図示を省略するジョイントを介して連結することによって構成することができる。
【００４５】
水平方向に引き回される排水パイプ３０６の位置は、瓶２０４内における水面の高さを決定する。瓶２０４内における水面の高さは、水平方向に引き回される排水パイプ３０６の高さと等しくなる。瓶２０４内における水面の高さは、たとえば、瓶２０４内に落下する水滴の落下音が瓶２０４内において反響することによって生じる音、すなわち、水琴窟２０２の音色が、設計者や施工者が最適と感じる音色になる位置に設定することができる。
【００４６】
多奏水琴窟４００において、各水琴窟２０２ａ〜２０２ｃは、水琴窟２０２ごとに、瓶２０４内における水面の高さが異なっている。また、多奏水琴窟４００において、各水琴窟２０２ａ〜２０２ｃは、水琴窟２０２ごとに、瓶２０４の材質が異なっている。瓶２０４内における水面の高さや瓶２０４の材質は、一部あるいはすべての水琴窟２０２ａ〜２０２ｃにおいて等しいものであってもよい。
【００４７】
また、この実施の形態にかかる多奏水琴窟４００においては、３つの瓶２０４（水琴窟２０２）を備えた例について説明したが、瓶２０４（水琴窟２０２）の数は３つに限るものではない。この考案にかかる多奏水琴窟が備える瓶２０４（水琴窟２０２）の数は、２つでもよく、また、４つ以上であってもよい。
【００４８】
多奏水琴窟４００において、瓶２０４（水琴窟２０２）の数が２つの場合は音色が単調になりがちであり、４つ以上の場合はそれぞれの瓶２０４から発する音が重なる確率が高くなる。水滴が水面に落下するタイミングは常に完全に同一になるものではなく、時間的に微妙なずれをもって重なることも多い。
【００４９】
このようなことから、多奏水琴窟４００における瓶２０４の数を多くすることによって華やかな音色を発することが可能になる一方、過剰に多くの瓶２０４を設置した場合、日本庭園の基調として挙げられる「わび・さび・渋さ」からかけ離れてしまう。したがって、多奏水琴窟４００における瓶２０４は３つとすることが好ましい。
【００５０】
瓶２０４の底部３０２には、底部３０２を板厚方向に貫通する貫通孔３０２ａが設けられている。また、瓶２０４の底部３０２には、貫通孔を囲むようにして環状部材３０７が設けられている。環状部材３０７は、軸心方向における一端側が、枠箱２０３の天面を貫通して枠箱２０３の外部に突出している。環状部材３０７の一端側は、海１０４と面一に設けられており、吸込孔２０１ａ〜２０１ｃを構成する。
【００５１】
また、環状部材３０７は、軸心方向における他端（底部３０２）側において、瓶２０４の底部３０２に固定されている。環状部材３０７の他端と底部３０２とは、モルタルやシーリング材などによって密閉されている。環状部材３０７は、内径が、貫通孔３０２ａの開口径よりも大きいことが好ましい。
【００５２】
環状部材３０７は、具体的には、たとえば、貫通孔３０２ａの開口径よりも内径が大きい塩化ビニル製のパイプなどによって実現することができる。これにより、吸込孔２０１ａ〜２０１ｃから環状部材３０７に流れ込んだ水を、環状部材３０７内にとどめ、貫通孔３０２ａから瓶２０４内に落下させることができる。
【００５３】
（多奏水琴窟の構造）
つぎに、この考案にかかる実施の形態の多奏水琴窟の構造について説明する。図４および図５は、この考案にかかる実施の形態の多奏水琴窟の構造を概略的に示す説明図である。図４においては、この考案にかかる実施の形態の多奏水琴窟および水鉢１０２を、斜め上方から見た状態を示している。図５においては、図４におけるＢ矢視図を示している。
【００５４】
図４および図５において、この考案にかかる実施の形態の多奏水琴窟４００は、３つの水琴窟２０２を備えている。３つの水琴窟２０２は、それぞれ、図３に示した構造をなし、地下に埋設されている。３つの水琴窟２０２がそれぞれ備える環状部材３０７は、それぞれ、吸込孔２０１ａ〜２０１ｃにつながっている。
【００５５】
複数の水琴窟２０２から引き出された複数の排水パイプ３０６は、途中で合流して１本の排水パイプ３０６を構成している。合流した１本の排水パイプ３０６の、水琴窟２０２側とは反対側の端部は、排水設備に接続されている。複数の水琴窟２０２から引き出された複数の排水パイプ３０６は、排水設備との間で合流する構成に限るものではない。各水琴窟２０２から引き出された複数の排水パイプ３０６は、途中で合流することなく、それぞれが独立して排水設備に接続されていてもよい。
【００５６】
３つの水琴窟２０２は、鉛直方向における環状部材３０７の一端側の位置、すなわち、吸込孔２０１ａ〜２０１ｃの高さが、水琴窟２０２ごとに異なるように設置されている。具体的には、たとえば、図５において符号５０１で示すように、第１の水琴窟２０２ａは、吸込孔２０１ａ〜２０１ｃの高さが、第２の水琴窟２０２ｂにおける吸込孔２０１ｂの高さよりも高くなるように設置されている。また、具体的には、たとえば、図５において符号５０２で示すように、第３の水琴窟２０２ｃは、吸込孔２０１ｃの高さが、第２の水琴窟２０２ｂにおける吸込孔２０１ｂの高さよりも高くなるように設置されている。
【００５７】
水鉢１０２は、凹部１０２ａの底面から水鉢１０２の底まで貫通する管路４０１を備えている。管路４０１は、両端が開放されており、一端が凹部１０２ａの底面に臨み、他端が給水パイプ４０２の一端に接続されている。管路４０１は、たとえば、凹部１０２ａの底面から水鉢１０２の底まで貫通するように、水鉢１０２を刳り貫くことによって形成することができる。
【００５８】
給水パイプ４０２の他端は、図示を省略する給水設備に接続されている。給水設備から供給される水は、給水パイプ４０２および管路４０１を介して、凹部１０２ａの底面から凹部１０２ａ内に供給される。すなわち、凹部１０２ａに対する給水設備からの給水は、当該凹部１０２ａが保持する水中に直接おこなわれる。
【００５９】
凹部１０２ａ内への給水を、管路４０１を介して、凹部１０２ａの底面からおこなうことにより、筧などを用いて水鉢１０２の上側から凹部１０２ａに給水する場合と比較して、給水にかかる水音を抑えることができる。これにより、水鉢１０２への給水にかかる水音によって水琴窟２０２が奏でる小さな音色が聞きづらくなることを回避し、多奏水琴窟４００が奏でる音色を存分に鑑賞させることができる。
【００６０】
このような蹲踞１００において、水鉢１０２から流れ出た水は、水鉢１０２の外壁を伝って海１０４へ流れ落ちる。海１０４に流れ落ちた水は、溝２０５によって各吸込孔２０１ａ〜２０１ｃに導かれる。そして、吸込孔２０１ａ〜２０１ｃから水琴窟２０２内に流れ込む。水琴窟２０２内に流れ込んだ水は、貫通孔３０２ａから直接、あるいは、環状部材３０７によって貫通孔３０２ａの周辺にとどめられた後に底部３０２を伝って、水滴となって瓶２０４内に落下する。
【００６１】
瓶２０４内に落下した水滴は、瓶２０４内の水面に落下することによって落下音を発生させる。この落下音は、瓶２０４内で反響する。この反響による音は、金属を叩いたような高音の美しい音色となって、吸込孔２０１ａ〜２０１ｃなどから水琴窟２０２の周囲に発せられる。各水琴窟２０２ａ〜２０２ｃが発する音色は、瓶２０４内における水面の高さ、瓶２０４の材質、瓶２０４の周囲の状況などによって、水琴窟２０２ごとに異なっている。
【００６２】
この考案にかかる実施の形態の多奏水琴窟４００は、３つの水琴窟２０２を備えており、各水琴窟２０２ａ〜２０２ｃが水鉢１０２の周囲を囲むようにして配置されているため、一つの水鉢１０２から流れ落ちる水は、吸込孔２０１ａ〜２０１ｃを介して複数の瓶２０４に流れ込む。これにより、それぞれの瓶２０４に落下した水滴による、周波数の異なる複数の反響音を、同時に、あるいは、タイミングを異ならせて断続的に発生させることができるので、和音や分散和音を発生させることができる。そして、これによって、鑑賞者は、異なる複数の音色を同時に聴いたり、音と音との間の余韻を楽しみながら断続的に発せられる音色を聴いたりすることができる。
【００６３】
水琴窟２０２から発せられる音は、瓶２０４内に落下する水量が少ないと小さくなり、音と音との間隔が長くなる。また、水琴窟２０２から発せられる音は、瓶２０４内に落下する水量が多いと大きくなり、音と音との間隔が短くなる。このようなことから、たとえば、低い音を発する水琴窟２０２をもっとも水が落ちやすい位置に配置したり、高い音を発する水琴窟２０２をもっとも水が落ちやすい位置に配置したりするなど、水琴窟２０２が発する音色、大きさ、頻度を調整してもよい。
【００６４】
水滴の落下は、人の制御が及ぶものではなく、不規則なタイミングで生じる。同様に、人の制御が及ばない鳥の鳴き声や海の波音、川のせせらぎなどのような繊細で豊かな自然の音には、水琴窟２０２の音色と同様の周波数の高音が多く含まれている。このような音色は、聴く者の脳に作用して、心と体を活性化する効果があることが知られている。
【００６５】
多奏水琴窟４００は、このような効果のある音色を各水琴窟２０２ａ〜２０２ｃから不規則に発することができるため、従来の水琴窟と比較して、聴く者を効果的にリラックスさせ、より深い癒しを与えることができる。また、多奏水琴窟４００は、このような効果のある音色を時に重ねて和音として発したり、異なる音を断続的に発したりすることができるため、従来の水琴窟と比較して変化に富み幅広い音色を発することができる。これにより、聴く者に対してさらなる癒しを与えることができる。
【００６６】
さらに、海１０４に水を誘導する溝２０５を設けることにより、水鉢１０２から海１０４に落下した水を溝２０５に集め、集めた水を溝２０５に沿って流れやすくすることができる。これにより、１つの水鉢１０２から流れ出る水によって複数の水琴窟２０２から確実に音を発生させることができ、かつ、水琴窟２０２ごとに水鉢１０２を設ける場合と比較して、水鉢１０２に給水する水音を抑えることができる。そして、水鉢１０２に給水する水音を抑えるために水鉢１０２への給水量を少なくし、これにより水鉢１０２から海１０４に落下する水を少なくした場合にも、海１０４に落下した水を吸込孔２０１ａ〜２０１ｃに無駄なく導くことができる。
【００６７】
また、海１０４に、少なくとも一部が吸込孔２０１ａ〜２０１ｃまたはその近傍を経由するように複数の溝２０５を設けることにより、水鉢１０２から海１０４に落下した水を、溝２０５に入りやすくして、吸込孔２０１ａ〜２０１ｃに確実に導くことができる。これによっても、水鉢１０２に給水する水音を抑えるために水鉢１０２への給水量を少なくし、これにより水鉢１０２から海１０４に落下する水を少なくした場合にも、海１０４に落下した水を吸込孔２０１ａ〜２０１ｃに無駄なく導くことができる。
【００６８】
また、複数の溝２０５を、海１０４を一見しただけでは容易に目視できない程度に浅く設けることにより、蹲踞１００の美観を損ねることなく、海１０４に落下した水を吸込孔２０１ａ〜２０１ｃを介して瓶２０４内に無駄なく導くことができる。
【００６９】
多奏水琴窟４００は、日本庭園の基調として挙げられる、（１）見えがくれ、（２）わび・さび・渋さ、（３）省略とゆとり、（４）余情と余韻、のすべてを備えている。すなわち、水琴窟２０２ａ〜２０２ｃをすべて地中に埋設して隠すことによって「見えがくれ」が実現され、派手さを抑えた蹲踞１００から、水滴が不規則に落下することによる小さな音を待ちわびて聴かせることによって「わび・さび・渋さ」が実現される。また、水琴窟２０２が奏でる小さな音色は、心身を落ち着かせて聴くことから「省略とゆとり」が実現され、実際に聴こえる音色に加えて音と音との余韻を聴いて楽しむことによって「余情と余韻」が実現される。
【００７０】
また、多奏水琴窟４００は、各水琴窟２０２ａ〜２０２ｃを、すべて地下に埋設することにより、地上に設置する汎用的な陶琴などと比較して、上記のような日本庭園の基調をより効果的に高め、興趣を添えることができる。
【００７１】
以上説明したように、この考案にかかる多奏水琴窟４００は、給水源である水鉢１０２から給水される水を受ける海１０４と、海１０４と面一に設けられる吸込孔２０１と、当該吸込孔２０１に連結する瓶２０４と、を備えた水琴窟２０２（２０２ａ〜２０２ｃ）を複数備えたことを特徴としている。
【００７２】
この考案にかかる多奏水琴窟４００によれば、複数の水琴窟２０２ａ〜２０２ｃを備えることにより、周波数の異なる複数の反響音を、同時に、あるいは、タイミングを異ならせて断続的に発生させることができる。これにより、和音や分散和音など、変化に富み幅広い音色を発することができる。
【００７３】
そして、多奏水琴窟４００が変化に富み幅広い音色を発することにより、従来の水琴窟と比較して、聴く者を効果的にリラックスさせ、深い癒しを与えることができる。
【００７４】
また、この考案にかかる多奏水琴窟４００は、吸込孔２０１（２０１ａ〜２０１ｃ）の高さが、水琴窟２０２ａ〜２０２ｃごとに異なることを特徴としている。
【００７５】
この考案にかかる多奏水琴窟４００によれば、水琴窟２０２ａ〜２０２ｃごとに、海１０４と面一に設けられる複数の吸込孔２０１ａ〜２０１ｃの高さを異ならせることにより、水鉢１０２から海１０４に流れ落ちて吸込孔２０１ａ〜２０１に流れ込む水の量やタイミングを、水琴窟２０２ａ〜２０２ｃごとに異ならせることができる。これにより、水滴の落下により生じる反響音の発せられるタイミングや頻度を水琴窟２０２ａ〜２０２ｃごとに異ならせ、和音や分散和音を発生させることができる。
【００７６】
水滴の落下は水琴窟２０２ａ〜２０２ｃごとに不規則に生じるため、和音や分散和音を構成する音の組み合わせや、分散和音を構成する各音の発生パターンに、無限に近い変化をもたせることができる。そして、これによって、従来の水琴窟と比較して、変化に富み幅広い音色を発することができ、聴く者を効果的にリラックスさせ、深い癒しを与えることができる。
【００７７】
また、この考案にかかる多奏水琴窟４００は、吸込孔２０１ａ〜２０１ｃが単一の水鉢１０２の周囲に位置するように、複数の水琴窟２０２ａ〜２０２ｃが配置されていることを特徴としている。
【００７８】
この考案にかかる多奏水琴窟４００によれば、単一の水鉢１０２から落下した水を複数の吸込孔２０１ａ〜２０１ｃに効果的に導くことができる。これにより、水琴窟２０２ａ〜２０２ｃごとに給水源を設ける場合と比較して、水鉢１０２への給水音や水鉢１０２から海１０４へ流れ落ちる水音などの給水にかかる水音を小さく抑えることができる。そして、これによって、多奏水琴窟４００が奏でる音色を、給水にかかる水音によって妨げられることなく存分に鑑賞させることができる。
【００７９】
また、この考案にかかる多奏水琴窟４００は、海１０４の表面に、水鉢１０２の周囲を囲むように設けられた溝２０５を備えたことを特徴としている。
【００８０】
この考案にかかる多奏水琴窟４００によれば、水鉢１０２から海１０４に落下した水を溝２０５に集め、集めた水を溝２０５に沿って流れやすくすることができる。これにより、水鉢１０２から海１０４に落下する水を少なくした場合にも、海１０４に落下した水を吸込孔２０１ａ〜２０１ｃに無駄なく導くことができる。
【００８１】
また、この考案にかかる多奏水琴窟４００は、複数設けられる溝２０５の少なくとも一部が、吸込孔２０１ａ〜２０１ｃまたは当該吸込孔２０１ａ〜２０１ｃの近傍を経由するように設けられていることを特徴としている。
【００８２】
この考案にかかる多奏水琴窟４００によれば、水鉢１０２から海１０４に落下した水を、溝に入りやすくして、吸込孔２０１ａ〜２０１ｃに確実に導くことができる。これにより、水鉢１０２から海１０４に落下する水を少なくした場合にも、海１０４に落下した水を吸込孔２０１ａ〜２０１ｃにより確実に導くことができる。
【００８３】
また、この考案にかかる蹲踞１００は、多奏水琴窟４００と、給水源である水鉢１０２と、を備え、水鉢１０２が、凹部１０２ａに対する給水設備からの給水を、当該凹部１０２ａが保持する水中に直接給水する水中給水により受け付けることを特徴としている。
【００８４】
この考案にかかる蹲踞１００によれば、多奏水琴窟４００への給水にかかる水音を抑えることができる。これにより、給水にかかる水音によって多奏水琴窟４００が奏でる音色を遮ることなく、多奏水琴窟４００が奏でる音色を効果的に聴かせることができる。そして、これによって、空間に興趣を添えることができる。
【００８５】
また、この考案にかかる蹲踞１００は、水鉢１０２より鉛直方向における下側に配置され、多角形状をなし、水平方向と平行に配置される設置面を備えた水受部１０５を備えたことを特徴としている。
【００８６】
この考案にかかる蹲踞１００によれば、水鉢１０２から流れ出た水を、水受部１０５の中心から放射状に偏りなく広げることにより、水受部１０５の周囲全体にわたって、海１０４に落下する水の量をほぼ均等にすることができる。これにより、一つの水鉢１０２から流れ落ちる水を、複数の吸込孔２０１ａ〜２０１ｃに偏りなく落下させることができ、複数の水琴窟２０２ａ〜２０２ｃが奏でる周波数の異なる複数の反響音を、同時に、あるいは、タイミングを異ならせて断続的に発生させることができる。そして、これによって、多奏水琴窟４００において、和音や分散和音など、変化に富み幅広い音色を発生させることができる。
【産業上の利用可能性】
【００８７】
以上のように、この考案にかかる多奏水琴窟および蹲踞は、日本庭園などにおける装飾として用いられる多奏水琴窟および蹲踞に有用であり、特に、広大な日本庭園などにおける装飾として用いられる多奏水琴窟および蹲踞に適している。
【符号の説明】
【００８８】
１００  蹲踞
１０２  水鉢
１０３  役石
１０４  海
２０１、２０１ａ、２０１ｂ、２０１ｃ  吸込孔
２０２、２０２ａ、２０２ｂ、２０２ｃ  水琴窟
２０３  枠箱
２０４  瓶
２０５  溝
３０６  排水パイプ
４００  多奏水琴窟
【図１】
0003219266.tif 000003
【図２Ａ】
0003219266.tif 000004
【図２Ｂ】
0003219266.tif 000005
【図３】
0003219266.tif 000006
【図４】
0003219266.tif 000007
【図５】
0003219266.tif 000008